(57)【特許請求の範囲】
【請求項１】
浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記表示解除用設定温度として、前記熱媒が使用されない運転に対応する第１表示解除用設定温度と、前記熱媒が使用される運転に対応すると共に、前記第１表示解除用設定温度よりも高い第２表示解除用設定温度とが予め設定され、
前記制御手段は、前記熱媒が使用される運転であるか否かに応じて、前記第１表示解除用設定温度または前記第２表示解除用設定温度を選択して、前記暖房お勧め表示部の前記勧誘表示の解除を制御する、
ことを特徴とする浴室暖房装置。
【請求項２】
前記制御手段は、前記勧誘表示を行っている表示状態において、前記熱媒を使用した運転を行ったときには、その運転を終了した時点から設定時間が経過するまでは、前記第２表示解除用設定温度を選択し、前記設定時間が経過した後は、前記第１表示解除用設定温度を選択する、
請求項１に記載の浴室暖房装置。
【請求項３】
浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記制御手段は、前記勧誘表示を解除している表示解除状態において、前記熱媒を使用する運転を行うときには、前記表示解除状態を継続し、その運転の終了時点から設定時間が経過するまでの期間に亘って前記表示解除状態を維持する、
ことを特徴とする浴室暖房装置。
【請求項４】
浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記制御手段は、前記勧誘表示を行うときに、凍結予防運転が行われている場合には、前記勧誘表示を行うと共に、凍結予防運転の終了時点から設定時間が経過するまでの期間に亘って前記勧誘表示を継続する、
ことを特徴とする浴室暖房装置。
【請求項５】
前記表示用設定温度を、操作によって切換え設定可能な設定操作部を備える、
請求項１ないし４のいずれかに記載の浴室暖房装置。
【発明の詳細な説明】
【技術分野】
【０００１】
本発明は、浴室暖房装置に関する。
【背景技術】
【０００２】
浴室暖房装置としては、例えば、特許文献１に示されているように、ミストサウナ運転時に、浴室暖房装置本体の内部に備えたサーミスタによって浴室内の温度を検知し、ミスト噴射開始のタイミングを決定するように構成したものや、特許文献２に示されているように、効率的なミスト運転を行うために、浴室内のリモコンに備えた温度センサの検知温度等によって浴室の壁面温度を推定するように構成したものが知られている。
【先行技術文献】
【特許文献】
【０００３】
【特許文献１】特許第４２７６５９７号公報
【特許文献２】特開２０１２−２２００６０号公報
【発明の概要】
【発明が解決しようとする課題】
【０００４】
冬場の浴室は寒く、入浴の際の急激な温度変化によって、血圧の急激な変動などが生じ、身体に大きな負担を与えることになる。
【０００５】
そこで、浴室に入る前に浴室暖房運転を行っておくことが有効となるが、浴室が、暖房運転が必要なほど冷えているかどうかは、浴室外から判断することができず、浴室に入って体感して、必要ならば浴室暖房運転を実行するようにしている。また、入浴前に無条件で浴室暖房運転を実行すればよいが、浴室が身体に負担をもたらすほど冷えていない場合には、無駄に浴室暖房運転を行うことになって、ガスや電気を無駄に消費することになる。
【０００６】
上記特許文献１は、ミスト噴射開始のタイミングを決定するものであって、浴室外で浴室の温度を知ることはできず、また、浴室暖房装置本体の内部に備えたサーミスタによって浴室の温度を検知するものであるために、浴室暖房装置本体の内部に溜まった熱気の影響を受け易く、浴室の温度を正確に検知するのが困難である。
【０００７】
上記特許文献２は、浴室の壁面付近の温度に応じてミスト噴射開始のタイミングを変えるものであって、浴室外で浴室の温度を知ることはできず、また、浴室の壁面付近の温度を検出するための専用の温度センサを浴室内に設置しなければならず、コストが高くなるという問題がある。
【０００８】
本発明は、このような実情に着目してなされたものであって、安価な構成で、浴室に入らなくても浴室暖房運転が必要か否かを容易に知ることができる浴室暖房装置を提供することを目的とする。
【課題を解決するための手段】
【０００９】
上記目的を達成するために、本発明では次のように構成している。
【００１０】
（１）本発明に係る浴室暖房装置は、浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記表示解除用設定温度として、前記熱媒が使用されない運転に対応する第１表示解除用設定温度と、前記熱媒が使用される運転に対応すると共に、前記第１表示解除用設定温度よりも高い第２表示解除用設定温度とが予め設定され、
前記制御手段は、前記熱媒が使用される運転であるか否かに応じて、前記第１表示解除用設定温度または前記第２表示解除用設定温度を選択して、前記暖房お勧め表示部の前記勧誘表示の解除を制御する。
【００１１】
本発明によると、浴室温度が低いときには、室外操作器の暖房おすすめ表示部に、暖房運転を促す勧誘表示がなされ、浴室温度が高くなると、暖房運転を促す勧誘表示が解除されるので、浴室温度を検知するための専用の温度センサを設けることなく、浴室暖房運転を行ったほうが良いか否かを容易に判断することができる。
【００１３】
熱媒が使用されない運転のときには、浴室暖房装置本体に設けられた温度センサが熱媒の影響を受けることなく、浴室の温度を検知できるのに対して、熱媒が使用される運転のときには、浴室暖房装置本体に設けられた温度センサが熱媒の影響を受けて、浴室の温度よりも高い温度を検知することになる。したがって、浴室の温度が低く、浴室暖房運転を促す勧誘表示を行っている状態で、熱媒の使用の有無に関わらず、同一の表示解除用設定温度以上になったときに、勧誘表示を解除すると、熱媒を使用する運転のときには、浴室の温度が十分上昇していないのに、温度センサの検知温度が高いために、勧誘表示が解除されるという不具合が生じる。
【００１４】
本発明によれば、勧誘表示を解除するための表示解除用設定温度として、熱媒が使用されない運転に対応する第１表示解除用設定温度と、この第１表示解除用設定温度よりも高く、熱媒が使用される運転に対応する第２表示解除用設定温度とが設定され、制御手段は、熱媒が使用される運転であるか否かに応じて、第１表示解除用設定温度または第２表示解除用設定温度を選択して勧誘表示の解除を制御するので、浴室の温度が十分上昇していないのに、勧誘表示が解除されるという不具合が生じるのを防止することができる。
【００１５】
（２）本発明の他の実施態様では、前記制御手段は、前記勧誘表示を行っている表示状態において、前記熱媒を使用した運転を行ったときには、その運転を終了した時点から設定時間が経過するまでは、前記第２表示解除用設定温度を選択し、前記設定時間が経過した後は、前記第１表示解除用設定温度を選択する。
【００１６】
この実施態様によると、熱媒を使用した運転を終了した時点から設定時間（例えば３０分）が経過するまでは、浴室暖房装置本体の内部に溜まった熱気、いわゆる、熱こもりがあるので、温度センサが、熱媒の使用時に対応する第２表示解除用設定温度以上を検知した時点で勧誘表示が解除される。また、熱媒を使用した運転を終了した時点から前記設定時間が経過した後は、浴室暖房装置本体内の熱こもりは解消しているとして、温度センサが、熱媒の非使用時に対応する第１表示解除用設定温度以上を検知した時点で勧誘表示が解除される。
【００１７】
（３）本発明は、浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記制御手段は、前記勧誘表示を解除している表示解除状態において、前記熱媒を使用する運転を行うときには、前記表示解除状態を継続し、その運転の終了時点から設定時間が経過するまでの期間に亘って前記表示解除状態を維持する。
【００１８】
勧誘表示を解除している表示解除状態では、検知温度は表示用設定温度以上であるが、実際の浴室温度は検知温度よりも低くなっていることもある。従って、実際の浴室温度が検知温度を下回っている状態で、熱媒を使用した運転（例えば、暖房運転）を開始すると、先ず、浴室内の冷えた空気を吸い込むことで、検知温度が表示用設定温度より低くなって浴室暖房運転を促す勧誘表示が行われ、その後、直ちに検知温度が上昇して表示解除用設定温度以上になり、勧誘表示が解除される。その結果、熱媒を使用した運転を開始すると、勧誘表示が、「表示解除」→「表示」→「表示解除」と変化することになり、熱媒を使用した運転を開始したにも拘わらず、浴室暖房運転を促す勧誘表示が行われる時間帯が発生するという不具合が生じる。
【００１９】
本発明によると、浴室暖房運転を促す勧誘表示を解除している表示解除状態において、熱媒を使用した運転を行うと、強制的に表示解除状態に維持するので、不要な勧誘表示が行われるのを防止することが可能となる。
【００２０】
また、勧誘表示が解除されている表示解除状態で、ユーザーが熱媒を使用する運転を開始して直ぐに運転を停止するような場合が想定されるが、この場合は、熱こもりは生じておらず、勧誘表示が行われる温度まで浴室温度が低下することが考えられる。
【００２１】
ユーザーが意識的に熱媒を使用した運転を停止しているので、その後、直ぐに暖房運転を促す勧誘表示を行うのは好ましくなく、本発明によれば、熱媒を使用した運転が終了した時点から設定時間（例えば、１０分）が経過するまでの期間は、勧誘表示を表示解除状態に維持することによって、熱媒を使用した運転の終了後直ぐに勧誘表示が行われる不具合をなくことができる。
【００２２】
（４）本発明は、浴室内の空気を排出する換気ファン、前記浴室内の空気を循環させる循環ファン、循環する空気を、熱源機からの熱媒によって加熱する加熱手段、及び、前記浴室内の空気の流入経路に設けられる温度センサを有すると共に、前記浴室に設置される浴室暖房装置本体と、
浴室暖房運転を促す勧誘表示を行う暖房お勧め表示部を有すると共に、前記浴室の外部に設置される室外操作器と、
前記換気ファン、前記循環ファン、前記加熱手段及び前記室外操作器を制御すると共に、前記温度センサの検知出力及び前記室外操作器からの指令が与えられる制御手段とを備え、
前記制御手段は、前記温度センサの検知温度、予め設定されている表示用設定温度、及び、表示解除用設定温度に基づいて、前記検知温度が前記表示用設定温度未満になると、前記暖房お勧め表示部で前記勧誘表示を行い、前記検知温度が前記表示解除用設定温度以上になると、前記勧誘表示を解除するものであり、
前記制御手段は、前記勧誘表示を行うときに、凍結予防運転が行われている場合には、前記勧誘表示を行うと共に、凍結予防運転の終了時点から設定時間が経過するまでの期間に亘って前記勧誘表示を継続する。
【００２３】
本発明によると、浴室暖房運転を促す勧誘表示を行う時に、凍結予防運転が行われている場合は、浴室は低温であるので、勧誘表示を強制的に継続し、凍結予防運転が終了した時点から設定時間（例えば、６０分）が経過するまでの期間は、浴室暖房装置本体の内部に熱がこもっているので、不当に勧誘表示の解除が行われることがないように、勧誘表示を継続する。
【００２４】
（５）本発明の他の実施態様では、前記表示用設定温度を、操作によって切換え設定可能な設定操作部を備える。
【００２５】
この実施態様によると、浴室暖房運転を促す勧誘表示を行うための基準となる表示用設定温度をユーザーが任意に選択設定することで、体調や体質に対応させた好適な勧誘表示を行うことができる。
【発明の効果】
【００２６】
本発明によれば、浴室に入って確かめなくても安価な構成で浴室暖房運転が必要か否かを容易に知ることができ、必要に応じて浴室暖房運転の指令操作、などを的確に行うことができる。
【図面の簡単な説明】
【００２７】
【図１】図１は本発明の一実施形態に係る浴室暖房装置を備えた浴室の斜視図である。
【図２】図２は浴室暖房装置の縦断面図である。
【図３】図３は浴室暖房装置の配管図である。
【図４】図４は制御系統を示すブロック図である。
【図５】図５は室外操作器の正面図である。
【図６】図６は室内操作器の正面図である。
【図７】図７は浴室暖房運転を促す勧誘表示制御の基本的な処理を示すフローチャートである。
【発明を実施するための形態】
【００２８】
以下、本発明の実施形態について図面を参照しながら説明する。
【００２９】
図１は、本発明の一実施形態に係る浴室暖房装置を備えた浴室の斜視図である。この実施形態の浴室暖房装置Ａは、浴室２の上部に設置されるものであり、浴室の暖房、浴室の換気、浴室の乾燥、浴室内に干した洗濯物の乾燥、浴室に温水ミストを噴霧するミスト浴、浴室に温水ミストを噴霧すると共に温風を吹き出すミストサウナ浴、等を実行する機能を備えている。
【００３０】
浴室暖房装置Ａの本体９は、浴槽７の上方の天井裏に設置されており、吊り金具１０によって天井スラブ等に吊下げ支持され、本体の下面が浴室２における天井８の開口部１１に臨むように配設されている。
【００３１】
図２は、浴室暖房装置Ａの縦断面図であり、図３は、浴室暖房装置Ａの配管図である。
【００３２】
浴室暖房装置Ａの本体９の下面には、上記天井８の下方から開口部１１を覆うように配置されたグリル板１２が取り付けられている。
【００３３】
本体９の内部には、循環する空気を加熱する加熱手段としての温風用熱交換器１３や送風機１４が内装されている。この温風用熱交換器１３は、内部に流れる熱媒としての温水によって浴室２内に送り込まれる空気を加温する。この温風用熱交換器１３は、本体９に配管した暖房用温水管路１５の途中に配置されており、暖房用温水管路１５には、図１に示す給湯暖房機などの熱源機１６からの温水が供給されるようになっている。暖房用温水管路１５の途中には、温風用熱交換器１３への温水供給を断続するための熱動弁１７が設けられると共に、暖房用温水管路１５を流れる温水の温度を検出する暖房温水サーミスタＴＨ２が配設されている。
【００３４】
送風機１４は、浴室内空気を循環させる循環ファン１４ａと、浴室内空気を外部へ排出する換気ファン１４ｂとで構成されている。なお、換気ファン１４ｂの排出路には、図２に示すように排気によって開放される自閉式の逆風止め５０が設けられている。
【００３５】
本体９の下面側には、循環ファン１４ａで送風される空気を吹き出す吹出し口３が設けられている。この吹出し口３には、可動ルーバー１８が備えられており、可動ルーバー１８を回動することによって吹出し口３を開閉したり、吹出し口３から吹き出す風向きを変更することができるようになっている。また、グリル板１２には、浴室２内の空気を吸い込む吸気口１が設けられており、この吸気口１の内側近傍の空気の流入経路に、浴室温度を検知する温度センサとしての浴室温度サーミスタＴＨ３が配備されている。
【００３６】
また、浴室暖房装置Ａには、ミスト浴の機能を持たせるためのミスト発生部１９が組み込まれ、本体９の上部に設置されている。ミスト発生部１９からはミスト用給水管路２０が導出され、その先端部に連結したミストノズル４がグリル板１２における吸気口１の近傍適所に設けられている。ミストノズル４は、２個のミストノズル４ａ，４ｂで構成され、各ミストノズル４ａ，４ｂの上手に設置された電磁駆動型のミスト開閉弁２１ａ，２１ｂを同時に開放、あるいは、一方のみを開放することで、強弱２段階のミスト量でミストを噴出することができるようになっている。なお、ミスト用給水管路２０には、水道水が供給されるようになっており、上流側から順に、ストレーナ２２、電磁駆動型の給水開閉弁２３が設けられている。
【００３７】
前記暖房用温水管路１５は、ミスト加熱用管路２４と温風用熱交換器１３への管路とに分岐され、分岐されたミスト加熱用管路２４の蛇行部とミスト用給水管路２０の蛇行部とが近接配備されて、ミスト加熱用管路２４を流れる温水でミスト用給水管路２０を流れるミスト用の水を加熱するミスト用熱交換器２６が構成されている。なお、ミスト加熱用管路２４には、電磁式の比例弁２５が設けられ、ミスト加熱用管路２４を流れる温水量を調整制御するようになっている。また、ミスト用給水管路２０におけるミスト用熱交換器２６とミスト開閉弁２１ａ，２１ｂとの間には、加熱されたミスト用温水の温度を検出するミスト温度サーミスタＴＨ１が配備されている。
【００３８】
この実施形態の浴室暖房装置Ａは、以上のように構成されており、図１に示す浴室２外の脱衣室の壁面に設置された脱衣室リモコンである室外操作器５、及び、浴室２内の壁面に設置された浴室リモコンである室内操作器３０によって遠隔操作されるようになっている。
【００３９】
図４に示すように、浴室暖房装置本体９に備えられた各種の作動機器、室外操作器５及び室内操作器３０は、メモリ２８及び演算回路２９を備えたマイクロコンピュータで構成される制御手段としての制御部Ｂに接続されており、この制御部Ｂは、浴室暖房装置本体９に備えられている。
【００４０】
図５に示すように、室外操作器５には、タイムアップまでの残り時間を表示するタイマー表示部３１、各種モードでの運転時間を増減設定するタイマー設定スイッチ３２、浴室２に吹き込まれる風の向きを一定状態とスイング状態に切り換える風向スイッチ３３、ミストサウナ運転の起動とミスト量の２段切換えを行うミストサウナスイッチ３４、乾燥運転の起動と乾燥モードを浴室乾燥とエコ乾燥と衣類乾燥に切換え選択する乾燥スイッチ６、暖房運転の起動とその強弱選択を行う暖房スイッチ３６、涼風運転を起動する涼風スイッチ３７、浴室２の換気運転を起動すると共に風力を強弱２段に切換え選択する換気スイッチ３８、全てのモードでの運転を停止する停止スイッチ３９、２４時間の換気運転を起動する２４時間換気スイッチ４１、及び、選択された各種設定状態を表示するモニターランプ類、が備えられている。
【００４１】
また、図６に示すように、室内操作器３０には、各モードの運転状態やタイマー残り時間、等を表示する状態表示部４０、ミストサウナ運転の指令及び風量を選択するミストサウナスイッチ３４、ミスト運転の指令及びミスト量を選択するミストスイッチ４１、温度設定スイッチ４２、暖房運転の指令及びその強弱を選択する暖房スイッチ３６、涼風運転を指令する涼風スイッチ３７、風向きを変更する風向スイッチ３３、ミスト入浴時間のタイマー設定を行うスタート/ストップスイッチ４３、タイマーのリセットを行うリセットスイッチ４５、及び、各種運転を停止する停止スイッチ３９が備えられている。
【００４２】
なお、暖房運転が設定されると、熱動弁１７を開くと共に、可動ルーバー１８を回動させて吹出し口３を開き、かつ、暖房温水サーミスタＴＨ２の検知温度が、６０℃以上であるか否かを判断する。検知温度が６０℃以上であることが認識されると、循環ファン１４ａを作動して、浴室２内の空気が吸気口１から吸い込まれ、温風用熱交換器１３によって加熱されて温風となった空気が吹出し口３から浴室２内に吹き出される。暖房運転の設定時間が経過すると、循環ファン１４ａを停止させると共に、熱動弁１７を閉止し、可動ルーバー１８によって吹出し口３を閉止し、暖房スイッチ３６のモニターランプを消灯し、タイマー表示部３１の時間表示を停止し、暖房運転が終了する。なお、この暖房運転中にユーザーによって停止スイッチ３９が押されると、制御部Ｂに暖房運転停止の指令が出され、循環ファン１４ａの停止、熱動弁１７の閉止、吹出し口３の閉止、モニターランプの消灯、タイマー表示部３１の表示が消えて、自動暖房運転が終了する。
【００４３】
浴室暖房装置は以上のように構成されているが、本実施形態においては、更に、浴室外から浴室暖房が必要か否かを判断できるように、浴室の温度が低いときには、浴室暖房運転を促す勧誘表示を、室外操作器５で行うようにしている。
【００４４】
すなわち、図５に示すように、室外操作器５に、浴室温度が低い場合に浴室暖房運転を促す勧誘表示を行う暖房お勧め表示部６０が備えられている。この暖房お勧め表示部６０には、暖房お勧め状態にあることを点灯表示するＬＥＤ等からなる表示ランプ６１と、点灯表示を行う基準となる表示用設定温度θ1を設定変更する設定操作部としての温度設定スイッチ６２、及び、設定された状態を「高」，「中」，「低」で知らせるモニターランプ６３群とが備えられている。
【００４５】
この実施形態では、浴室暖房運転を促す勧誘表示は、表示ランプ６１を点灯させることによって行われ、勧誘表示の解除は、表示ランプ６１を消灯させることによって行われる。
【００４６】
浴室暖房運転を促す勧誘表示を行うか否か、すなわち、表示ランプ６１を点灯させるか否かの基準となる表示用設定温度θ1は、ユーザーが温度設定スイッチ６２を操作することで、「高」（２０℃），「中」（１５℃），「低」（１０℃）、及び、「表示しない」を選択することができ、出荷時には「中」に設定されている。そして、温度設定スイッチ６２は、ユーザーによる操作毎に、「中」→「低」→「高」→「表示しない」→「中」のように順次循環して切換え選択することができ、選択した温度設定状態は、対応するモニターランプ６３の点灯によって表示される。また、「表示しない」の設定では、全てのモニターランプ６３が消灯する。
【００４７】
浴室暖房運転を促す勧誘表示における表示制御の基本の処理が、図７のフローチャートに示されている。
【００４８】
浴室温度サーミスタＴＨ３によって浴室温度(厳密には浴室暖房装置Ａにおける空気流入経路の温度）が常時検知されており、先ず、表示用設定温度θ１が設定されている、すなわち、上記の「表示しない」以外の設定であるときに（ステップｎ１）、浴室温度サーミスタＴＨ３による検知温度θが表示用設定温度θ１未満（θ＜θ１）であると（ステップｎ２）、表示ランプ６１が点灯されて暖房運転を促す勧誘表示が行われ（ステップｎ３）、検知温度θが予め設定されている表示解除用設定温度θ２以上（θ≧θ２）になると（ステップｎ７）、表示ランプ６１が消灯されて勧誘表示が解除される（ステップｎ８）。
【００４９】
ここで、表示ランプ６１を消灯して勧誘表示を解除するための表示解除用設定温度θ２は、温水を使用しない運転に対応する第１表示解除用設定温度と、温水を使用する運転に対応する第２表示解除用設定温度とが、予め設定されており、制御部Ｂは、運転状況に基づいて、いずれかの表示解除用設定温度θ２を選択して、勧誘表示の解除を制御する。
【００５０】
温水を使用しない運転では、浴室暖房装置Ａの本体９内に設置されている浴室温度サーミスタＴＨ３は、温水の熱の影響を受けないので、その検知温度は、浴室の温度と略等しくなるが、温水を使用する運転では、浴室温度サーミスタＴＨ３は、温水の熱の影響を受けるので、その検知温度は、浴室の温度よりも高くなる。
【００５１】
そこで、この実施形態では、下記表１に示すように、温水が使用されない運転が行われるとき（温水使用時以外）の表示解除用設定温度θ２である第１表示解除用設定温度は、表示用設定温度θ１に２℃を加算した値（２２℃，１７℃，１２℃）とし、温水を使用した運転が行われるとき（温水使用時）の表示解除用設定温度θ２である第２表示解除用設定温度は、第１表示解除用設定温度よりも高い、一律２５℃としている。
【００５２】
【表１】
0006621617.tif 000002
【００５３】
浴室の温度が低く、図７に示すように、表示ランプ６１が点灯して勧誘表示がなされた後（ステップｎ３）、温水を使用した運転（暖房、乾燥、ミストサウナなど）が行われると、温水使用時の表示解除用設定温度θ２（２５℃）が設定され（ステップｎ４，ｎ５）、この表示解除用設定温度θ２が、浴室温度サーミスタＴＨ３の検知温度θと比較され、検知温度θが表示解除用設定温度θ２以上（θ≧θ２）になると（ステップｎ７）、浴室の温度も十分高くなっているとして、表示ランプ６１が消灯されて勧誘表示が解除される（ステップｎ８）。
【００５４】
また、浴室の温度が低く、表示ランプ６１が点灯して勧誘表示がなされた後（ステップｎ３）、温水を使用しない運転（涼風、換気、水ミスト、２４時間換気など）が行われる場合、あるいは、何も運転を行わない場合には、表示用設定温度θ１の選択設定に対応して、それより２℃高い温水使用時以外の表示解除用設定温度θ２（θ１＋２℃＝２２℃，１７℃，１２℃）が設定され（ステップｎ４，ｎ６）、この表示解除用設定温度θ２が、検知温度θと比較され、検知温度θが、表示解除用設定温度θ２以上（θ≧θ２）になると（ステップｎ７）、表示ランプ６１が消灯されて勧誘表示が解除される（ステップｎ８）。
【００５５】
また、図７のフローチャートには示されていないが、この実施形態では、以下のような制御が行われる。
【００５６】
（１）温水を使用した運転を終了した時点から設定時間Ｕ1（例えば３０分）が経過するまでは、温水を使用する運転が終了していても、浴室暖房装置本体９内に熱こもりがあるので、検知温度θが、温水使用時の表示解除用設定温度θ２である第２表示解除用設定温度（２５℃）以上を検知した時点で表示ランプ６１を消灯して勧誘表示を解除する。また、温水を使用した運転を終了した時点から前記設定時間Ｕ1が経過した後は、浴室暖房装置本体９内の熱こもりは解消しているとして、検知温度θが、本来の温水使用時以外の表示解除用設定温度θ２である第１表示解除用設定温度（２２℃，１７℃，１２℃）以上を検知した時点で表示ランプ６１を消灯して勧誘表示を解除する。
【００５７】
（２）また、表示ランプ６１が消灯している状態、すなわち、浴室暖房運転を促す勧誘表示が解除されている表示解除状態で、温水を使用した運転を行った場合、表示ランプ６１は強制的に消灯状態に維持され、温水を使用した運転が終了した時点から設定時間Ｕ２（例えば、１０分）が経過するまでの期間は、表示ランプ６１は消灯状態に維持されて、勧誘表示は表示解除状態を継続する。
【００５８】
この場合、表示ランプ６１が消灯されて、勧誘表示が解除された状態では、検知温度θは、表示用設定温度θ１以上であるが、実際の浴室温度は検知温度θよりも低くなっていることもある。従って、実際の浴室温度が検知温度θを下回っている状態で、温水を使用した運転（例えば、暖房運転）を開始すると、先ず、循環ファン１４ａが作動して浴室内の冷えた空気を吸い込むことで、検知温度θが表示用設定温度θ１より低くなって、表示ランプ６１が点灯して勧誘表示が行われ、その後、直ちに検知温度θが上昇して表示解除用設定温度θ２（２５℃）以上になり、表示ランプ６１が消灯して勧誘表示が解除される。その結果、温水を使用した運転を開始すると、表示ランプ６１が「消灯」→「点灯」→「消灯」と変化することになり、温水を使用した運転を開始したにも拘わらず、表示ランプ６１が点灯して浴室暖房運転を促す勧誘表示が行われる時間帯が発生するという不具合が生じる。
【００５９】
この実施形態では、上記のように、表示ランプ６１が消灯している状態、すなわち、勧誘表示が解除されている表示解除状態で、温水を使用した運転を行った場合、表示ランプ６１は強制的に消灯状態に維持され、温水を使用した運転が終了した時点から設定時間Ｕ２（例えば、１０分）が経過するまでの期間は、表示ランプ６１は消灯状態に維持されて、勧誘表示は表示解除状態を継続する。
【００６０】
これによって、表示ランプ６１が消灯して勧誘表示が解除されている表示解除状態で、温水を使用した運転を行うときに、表示ランプ６１が不必要に点灯して勧誘表示が行われるのを防止することができる。
【００６１】
また、表示ランプ６１が消灯されて、勧誘表示が解除された表示解除状態で、ユーザーが温水を使用する運転を開始して直ぐに運転を停止するような場合が想定されるが、この場合は、熱こもりは生じておらず、勧誘表示が行われる温度まで浴室温度が低下することが考えられる。
【００６２】
しかし、ユーザーが意識的に温水を使用した運転を停止しているので、その後、直ぐに温水を使用する浴室暖房運転を促す勧誘表示を行うのは好ましくなく、そのため、この実施形態によれば、温水を使用した運転が終了した時点から設定時間Ｕ２（例えば、１０分）が経過するまでは、勧誘表示を表示解除状態に維持することによって、温水を使用した運転の終了後に直ちに勧誘表示が行われる不具合をなくことができる。
【００６３】
（３）また、表示ランプ６１を点灯させて勧誘表示を行う時に、凍結予防運転、すなわち、熱動弁１７を開いて熱源機１６からの温水を温風用熱交換器１３に供給して、配管等が凍らないようにする凍結予防運転が行われている場合は、浴室は低温であるので、表示ランプ６１の点灯状態、すなわち、勧誘表示を強制的に維持する。また、循環ファン１４ａ及び換気ファン１４ｂを作動させない凍結予防運転が終了した時点から設定時間Ｕ３（例えば、６０分）が経過するまでは、熱がこもっているので、検知温度は浴室温度より高くなっており、不当に表示ランプ６１が消灯されることがないように、表示ランプ６１の点灯状態を維持し、勧誘表示を継続する。
【００６４】
なお、上記の設定時間Ｕ１，Ｕ２，Ｕ３の時間は、一例であり、上記に限らないのは勿論である。
【００６５】
以上のように本実施形態によると、浴室暖房装置本体９に設けられている浴室温度サーミスタＴＨ３を用いて、浴室暖房が必要か否かを外部に表示することができ、浴室温度を検知するための専用の温度センサを設けることのない安価な構成で、また、浴室に入って浴室温度を体感確認することなく、浴室暖房が必要か否かを事前に知ることができる。
【００６６】
［その他の実施形態］
本発明は、以下のような形態で実施することもできる。
【００６７】
（１）暖房お勧め表示部６０の表示ランプ６１の輝度を、他のモニターランプ類より高いものにしたり、表示ランプ６１の点灯色相を他のモニターランプ類と異ならせると、浴室暖房運転を促す勧誘表示が行われていることが認識し易くなる。
【００６８】
（２）暖房お勧め表示部６０の表示ランプ６１を点滅させて、勧誘表示が行われていることを認識しやすくするようにしてもよい。
【００６９】
（３）暖房お勧め表示部６０を液晶パネル等で構成して、例えば、「暖房お勧め」等を文字表示して浴室暖房運転を促す勧誘表示を行うようにしてもよい。この場合、液晶パネルをタッチ入力可能にして、表示用設定温度θ１の設定変更、及び、その設定のモニター表示を液晶パネル上で行うようにしてもよい。
【００７０】
（４）台所に設置した台所リモコンである別の室外操作器を、脱衣室の室外操作器５と同様の機能を備えた構造としてもよい。
【００７１】
（５）浴室暖房装置Ａと携帯電話などの情報端末器とを双方向に通信可能に接続して、情報端末器を操作して該情報端末器に浴室暖房運転を促す勧誘表示がなされるように構成してもよい。
【符号の説明】
【００７２】
２            浴室
５            室外操作器
９            浴室暖房装置本体
１３          温風用熱交換器
１４ａ        循環ファン
１４ｂ        換気ファン
６０          暖房お勧め表示部
６１          表示ランプ
６２          設定操作部（温度設定スイッチ）
Ａ            浴室暖房装置
Ｂ            制御部
ＴＨ３        温度センサ（浴室温度サーミスタ）
θ            検知温度
θ1           表示用設定温度
θ2           表示解除用設定温度
【図１】
0006621617.tif 000003
【図２】
0006621617.tif 000004
【図３】
0006621617.tif 000005
【図４】
0006621617.tif 000006
【図５】
0006621617.tif 000007
【図６】
0006621617.tif 000008
【図７】
0006621617.tif 000009